【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
第１の印刷ジョブにより特定される出力シートサイズと、第２の印刷ジョブにより特定される出力シートサイズとを判定する判定手段と、
前記判定手段により判定された各印刷ジョブの出力シートサイズに基づき、前記第１の印刷ジョブ及び前記第２の印刷ジョブで使用する連続シートのシート幅を決定する決定手段と、
前記決定手段で決定したシート幅の連続シートに、前記第１の印刷ジョブに基づく画像と前記第２の印刷ジョブに基づく画像とを連続して印刷手段に印刷させるように制御する制御手段と、
を有することを特徴とする印刷制御装置。
【請求項２】
前記判定手段は、各印刷ジョブにより特定される出力シートサイズの縦サイズ及び横サイズを判定し、
前記決定手段は、前記判定手段で判定された各印刷ジョブの縦サイズ及び横サイズに基づいて前記使用する連続シートのシート幅の決定を行い、
前記制御手段は、前記決定手段により決定したシート幅に応じて前記各印刷ジョブに基づく画像のうち少なくとも一方の画像を回転させて、前記決定手段で決定したシート幅の連続シートに印刷させるように制御することを特徴とする請求項１に記載の印刷制御装置。
【請求項３】
前記第１の印刷ジョブ及び前記第２の印刷ジョブにより特定される出力シートサイズのうち一方の縦サイズと他方の横サイズが一致する場合、前記決定手段は、一致するサイズを前記使用する連続シートのシート幅に決定し、前記制御手段は、前記第１の印刷ジョブ及び前記第２の印刷ジョブに基づく画像のうち一方の画像を回転させて、前記決定手段で決定したシート幅の連続シートに印刷させるように制御することを特徴とする請求項２に記載の印刷制御装置。
【請求項４】
前記決定手段は、前記判定手段で判定された各印刷ジョブの出力シートサイズのうち少なくとも一方の出力シートサイズよりシート幅の大きいシートサイズを前記使用する連続シートのシート幅として決定可能であることを特徴とする請求項１〜３のいずれか１項に記載の印刷制御装置。
【請求項５】
前記決定手段は、前記判定手段で判定された各印刷ジョブの出力シートサイズと一致するシート幅及び当該出力シートサイズより大きいシート幅を各印刷ジョブで使用可能なサイズとし、前記使用する連続シートのシート幅を決定することを特徴とする請求項４に記載の印刷制御装置。
【請求項６】
前記決定手段は、前記判定手段で判定された出力シートサイズと一致するシート幅及び当該出力シートサイズより大きいシート幅を前記第１の印刷ジョブ及び前記第２の印刷ジョブで使用可能である場合、前記判定手段で判定されたシートサイズと一致するシート幅を優先的に前記使用する連続シートのシート幅として決定することを特徴とする請求項４又は５に記載の印刷制御装置。
【請求項７】
前記決定手段は、前記印刷手段に供給可能な連続シートのシート幅が前記判定手段で判定されたシートサイズより大きい場合に、前記判定手段で判定されたシートサイズと、前記判定手段で判定されたシートサイズより大きいシートサイズとを使用可能なシートサイズとし、前記使用する連続シートのシート幅を決定することを特徴とする請求項４〜６のいずれか１項に記載の印刷制御装置。
【請求項８】
前記制御手段は、前記決定手段で決定されたシート幅が前記判定手段で判定されたシートサイズより大きいシートサイズであった場合、前記第１の印刷ジョブ又は前記第２の印刷ジョブに基づく画像に余白を追加する処理を行ってから印刷を行わせることを特徴とする請求項４〜７のいずれか１項に記載の印刷制御装置。
【請求項９】
前記決定手段は、前記第１の印刷ジョブで使用可能な連続シートのシート幅及び前記第２の印刷ジョブで使用可能な連続シートのシート幅が複数ある場合、シート供給部にセットされている連続シートのシートサイズを優先的に前記使用する連続シートのシート幅として決定することを特徴とする請求項４〜７のいずれか１項に記載の印刷制御装置。
【請求項１０】
前記制御手段は、印刷ジョブを受け付けた順序に各印刷ジョブを実行させることを特徴とする請求項１〜９のいずれか１項に記載の印刷制御装置。
【請求項１１】
印刷待ちの複数の印刷ジョブにより特定される出力シートサイズを判定する判定手段と、
前記判定手段により判定された各出力シートサイズに基づき、同一の連続シートを用いて印刷可能な印刷ジョブの実行方法を提示する提示手段と、
前記提示手段による提示に基づくユーザの指示に従い、同一の連続シートに、複数の印刷ジョブに基づく画像を連続して印刷手段により印刷させるよう制御する印刷制御手段と、を有することを特徴とする印刷制御装置。
【請求項１２】
前記提示手段は、複数の印刷ジョブの実行方法として複数のパターンを提示し、前記印刷制御手段は、ユーザにより指定されたパターンに従って、印刷させるよう制御することを特徴とする請求項１１に記載の印刷制御装置。
【請求項１３】
前記提示手段は、印刷順序の異なる複数のパターンを提示することを特徴とする請求項１２に記載の印刷制御装置。
【請求項１４】
前記提示手段は、優先的に使用する連続シートの異なる複数のパターンを提示することを特徴とする請求項１２又は１３に記載の印刷制御装置。
【請求項１５】
前記提示手段は、複数の印刷ジョブに要する時間の異なる複数のパターンを提示することを特徴とする請求項１１〜１４のいずれか１項に記載の印刷制御装置。
【請求項１６】
第１の印刷ジョブにより特定される出力シートサイズと、第２の印刷ジョブにより特定される出力シートサイズとを判定し、
前記判定手段により判定された各印刷ジョブの出力シートサイズに基づき、前記第１の印刷ジョブ及び前記第２の印刷ジョブで使用する連続シートのシート幅を決定し、
前記決定手段で決定したシート幅の連続シートに、前記第１の印刷ジョブに基づく画像と前記第２の印刷ジョブに基づく画像とを連続して印刷手段に印刷させることを特徴とする印刷制御方法。
【請求項１７】
印刷待ちの複数の印刷ジョブにより特定される出力シートサイズを判定し、
判定された各出力シートサイズに基づき、同一の連続シートを用いて印刷可能な印刷ジョブの実行方法を提示し、
提示に基づくユーザの指示に従い、同一の連続シートに、複数の印刷ジョブに基づく画像を連続して印刷手段により印刷させるよう制御することを特徴とする印刷制御方法。
【請求項１８】
請求項１６又は１７に記載の印刷制御方法をコンピュータにより実行することを特徴とするプログラム。
【手続補正２】
【補正対象書類名】明細書
【補正対象項目名】０００６
【補正方法】変更
【補正の内容】
【０００６】
上記課題を解決するため、本発明の印刷制御装置は、第１の印刷ジョブにより特定される出力シートサイズと、第２の印刷ジョブにより特定される出力シートサイズとを判定する判定手段と、前記判定手段により判定された各印刷ジョブの出力シートサイズに基づき、前記第１の印刷ジョブ及び前記第２の印刷ジョブで使用する連続シートのシート幅を決定する決定手段と、前記決定手段で決定したシート幅の連続シートに、前記第１の印刷ジョブに基づく画像と前記第２の印刷ジョブに基づく画像とを連続して印刷手段に印刷させるように制御する制御手段と、を有する。また、本発明の他の印刷制御装置は、印刷待ちの複数の印刷ジョブにより特定される出力シートサイズを判定する判定手段と、前記判定手段により判定された各出力シートサイズに基づき、同一の連続シートを用いて印刷可能な印刷ジョブの実行方法を提示する提示手段と、前記提示手段による提示に基づくユーザの指示に従い、同一の連続シートに、複数の印刷ジョブに基づく画像を連続して印刷手段により印刷させるよう制御する印刷制御手段と、を有する。